(57)【要約】【課題】  簡便に部品の着脱及び交換をすることができる磁気式ＬＥＤ多機能ランプを提供する。【解決手段】  交換が容易な磁気式ＬＥＤ多機能ランプは、電源ランプ体１０及び発光ランプセット２０を備える。電源ランプ体１０上には、複数の磁気ユニットが配置されている。発光ランプセット２０上には、電源ランプ体１０の磁気ユニットに対応する複数の磁気部材２１１が配置され、発光ランプセット２０は、電源ランプ体１０に着脱自在に装着される。電源ランプ体１０は、ランププレート１１、ランプホルダ１２及び磁気ユニットを有する。ランププレート１１は、鉄金属により一体成形されたプレート体であり、天井板又は頂壁上に装着され、ランプホルダ１２を収納する収納槽１１２を有する。ランプホルダ１２は、放熱し易いアルミニウム金属材料からなる。【選択図】  図２
0003171432.tif 000002
【実用新案登録請求の範囲】
【請求項１】
電源ランプ体及び発光ランプセットを備える交換が容易な磁気式ＬＥＤ多機能ランプであって、
前記電源ランプ体上には、複数の磁気ユニットが配置され、
前記発光ランプセット上には、前記電源ランプ体の前記磁気ユニットに対応する複数の磁気部材が配置され、前記発光ランプセットは、前記電源ランプ体に着脱自在に装着されることを特徴とする交換が容易な磁気式ＬＥＤ多機能ランプ。
【請求項２】
前記電源ランプ体は、ランププレート、ランプホルダ及び前記磁気ユニットを有し、
前記ランププレートは、鉄金属により一体成形されたプレート体であり、天井板又は頂壁上に装着され、前記ランプホルダを収納する収納槽を有し、
前記ランプホルダは、放熱し易いアルミニウム金属材料からなり、底板を有し、前記底板の周縁には、周壁が上向きに延設され、前記周壁の頂端には、外向きかつ水平にリング状凸縁が延設され、前記リング状凸縁には、下向きに放熱部が延設され、前記ランプホルダの前記底板の中央部には、接続部が設けられ、前記底板の周縁に、リング状凹縁が設けられ、前記ランプホルダには、前記磁気ユニットを配置する複数の収納部が設けられることを特徴とする請求項１に記載の交換が容易な磁気式ＬＥＤ多機能ランプ。
【請求項３】
前記ランプホルダの前記リング状凸縁と前記周壁との接続箇所には、前記底板に向かって環溝が凹設されていることを特徴とする請求項２に記載の交換が容易な磁気式ＬＥＤ多機能ランプ。
【請求項４】
前記収納部は、前記環溝及び前記底板上に凹設され、
前記収納部の底部には、第１のネジ孔が設けられることを特徴とする請求項２に記載の交換が容易な磁気式ＬＥＤ多機能ランプ。
【請求項５】
前記磁気ユニットは、強力磁石、保護キャップ及びボルトを有し、
前記保護キャップには、前記第１のネジ孔に対応した第２のネジ孔が設けられることを特徴とする請求項２に記載の交換が容易な磁気式ＬＥＤ多機能ランプ。
【請求項６】
前記発光ランプセットは、ランプカバー及びＬＥＤ発光モジュールを有し、
前記ランプカバー上には、前記リング状凸縁の前記磁気ユニットに対応した第１の磁気部材が配置され、
前記ＬＥＤ発光モジュールは、基板を有し、前記基板は、頂面及び底面を有し、前記基板の頂面上には、複数のＬＥＤが配置され、前記基板の底面には、前記底板の前記磁気ユニット及び前記接続部に対応して第２の磁気部材及び結合部が配置されることを特徴とする請求項１に記載の交換が容易な磁気式ＬＥＤ多機能ランプ。
【請求項７】
前記ＬＥＤ発光モジュールには、電源制御回路ユニットが内蔵されることを特徴とする請求項６に記載の交換が容易な磁気式ＬＥＤ多機能ランプ。
【請求項８】
前記第１の磁気部材は、鉄金属のフープであり、前記ランプカバーの周縁を覆うことを特徴とする請求項６に記載の交換が容易な磁気式ＬＥＤ多機能ランプ。
【請求項９】
前記第２の磁気部材は鉄片であり、前記基板上に貼設することを特徴とする請求項６に記載の交換が容易な磁気式ＬＥＤ多機能ランプ。
【請求項１０】
前記発光ランプセットは、前記ＬＥＤ発光モジュール上に装着されるカバーを有することを特徴とする請求項６に記載の交換が容易な磁気式ＬＥＤ多機能ランプ。
【考案の詳細な説明】
【技術分野】
【０００１】
本考案は、ＬＥＤランプに関するものであり、さらに詳しくは、交換が容易な磁気式ＬＥＤ多機能ランプに関するものである。
【背景技術】
【０００２】
一般に蛍光灯は、消費電力が大きく、内部には、人体に悪影響を与える水銀及び蛍光粉末が含まれている。そのため、近年、ＬＥＤを発光源とするランプに徐々に代替されてきている。
【０００３】
従来のＬＥＤを発光源とするランプは、電源部に、ＡＣアダプタの電源を切り替える電源切替回路及び駆動回路を設ける必要がある上、光源部に、電流回路、ＬＥＤモジュールなどを設ける必要があるためコストが高い。また、光源部は、ＬＥＤモジュールの部分だけが損壊しやすく、ＬＥＤが１つでも損壊した場合、輝度が不均一になる。
【０００４】
かかる場合において、電源部又はランプが故障していないのに、ＬＥＤモジュール全てを廃棄して新品に交換することは、資源の無駄となる上、環境を汚染する虞がある。しかし、損壊したＬＥＤモジュールのみを交換し、その他の部品を残して使用し続ける場合、ユーザの経済的負担及び環境汚染を減らすことができるが、ＬＥＤランプの部品数が多く、組み立てる際、ネジなどの締結部材で螺設させる必要があり、ユーザは、交換又はメンテナンスの面で不便を強いられることから、使用に対して消極的になる虞がある。
【考案の開示】
【考案が解決しようとする課題】
【０００５】
従って、本考案の課題は、簡便に部品の着脱及び交換が可能なＬＥＤランプを提供することにある。
【０００６】
そこで、本考案者は、前記の本考案の課題を解決するため鋭意検討を重ねた結果、電源ランプ体上に配置された磁気ユニットの磁気作用により、発光モジュールを電源ランプ体上に固定することにより、前記課題を解決し、簡便に部品の着脱及び交換が可能な磁気式ＬＥＤ多機能ランプを提供できることに着目し、かかる知見に基いて、本考案に想到するに至った。
【課題を解決するための手段】
【０００７】
かくして、本考案によれば、電源ランプ体及び発光ランプセットを備える交換が容易な磁気式ＬＥＤ多機能ランプであって、
前記電源ランプ体上には、複数の磁気ユニットが配置され、前記発光ランプセット上には、前記電源ランプ体の前記磁気ユニットに対応する複数の磁気部材が配置され、前記発光ランプセットは、前記電源ランプ体に着脱自在に装着されることを特徴とする交換が容易な磁気式ＬＥＤ多機能ランプが提供される。
【０００８】
前記電源ランプ体は、ランププレート、ランプホルダ及び前記磁気ユニットを有し、前記ランププレートは、鉄金属により一体成形されたプレート体であり、天井板又は頂壁上に装着され、前記ランプホルダを収納する収納槽を有し、前記ランプホルダは、放熱し易いアルミニウム金属材料からなり、底板を有し、前記底板の周縁には、周壁が上向きに延設され、前記周壁の頂端には、外向きかつ水平にリング状凸縁が延設され、前記リング状凸縁には、下向きに放熱部が延設され、前記ランプホルダの前記底板の中央部には、接続部が設けられ、前記底板の周縁に、リング状凹縁が設けられ、前記ランプホルダには、前記磁気ユニットを配置する複数の収納部が設けられることが好ましい。
【０００９】
前記ランプホルダの前記リング状凸縁と前記周壁との接続箇所には、前記底板に向かって環溝が凹設されていることが好ましい。
【００１０】
前記収納部は、前記環溝及び前記底板上に凹設され、前記収納部の底部には、第１のネジ孔が設けられることが好ましい。
【００１１】
前記磁気ユニットは、強力磁石、保護キャップ及びボルトを有し、前記保護キャップには、前記第１のネジ孔に対応した第２のネジ孔が設けられることが好ましい。
【００１２】
前記発光ランプセットは、ランプカバー及びＬＥＤ発光モジュールを有し、前記ランプカバー上には、前記リング状凸縁の前記磁気ユニットに対応した第１の磁気部材が配置され、前記ＬＥＤ発光モジュールは、基板を有し、前記基板は、頂面及び底面を有し、前記基板の頂面上には、複数のＬＥＤが配置され、前記基板の底面には、前記底板の前記磁気ユニット及び前記接続部に対応して第２の磁気部材及び結合部が配置されることが好ましい。
【００１３】
前記ＬＥＤ発光モジュールには、電源制御回路ユニットが内蔵されることが好ましい。
【００１４】
前記第１の磁気部材は、鉄金属のフープであり、前記ランプカバーの周縁を覆うことが好ましい。
【００１５】
前記第２の磁気部材は鉄片であり、前記基板上に貼設することが好ましい。
【００１６】
前記発光ランプセットは、前記ＬＥＤ発光モジュール上に装着されるカバーを有することが好ましい。
【考案の効果】
【００１７】
本考案によれば、前記の通りの構成からなり、簡便に部品の着脱及び交換が可能な磁気式ＬＥＤ多機能ランプを提供することができる。
【図面の簡単な説明】
【００１８】
【図１】本考案の第１実施形態による交換が容易な磁気式ＬＥＤ多機能ランプを示す斜視図である。
【図２】本考案の第１実施形態による交換が容易な磁気式ＬＥＤ多機能ランプを示す分解斜視図である。
【図３】本考案の第１実施形態による交換が容易な磁気式ＬＥＤ多機能ランプを示す分解斜視図である。
【図４】本考案の第１実施形態による交換が容易な磁気式ＬＥＤ多機能ランプを示す断面図である。
【図５】本考案の第１実施形態による交換が容易な磁気式ＬＥＤ多機能ランプの接続部及び結合部を示す部分拡大図である。
【図６】本考案の第２実施形態による交換が容易な磁気式ＬＥＤ多機能ランプのＬＥＤランプが埋め込み式ランプである場合の断面図である。
【図７】本考案の第３実施形態による交換が容易な磁気式ＬＥＤ多機能ランプのＬＥＤランプがＬＥＤ電球である場合の分解断面図である。
【図８】本考案の第４実施形態による交換が容易な磁気式ＬＥＤ多機能ランプのＬＥＤランプがＬＥＤ蛍光灯である場合の分解断面図である。
【図９】本考案の他の実施形態による交換が容易な磁気式ＬＥＤ多機能ランプの接続部及び結合部を示す部分拡大図である。
【考案を実施するための最良の形態】
【００１９】
以下、本考案の実施形態について図面に基づいて説明する。なお、これによって本考案が限定されるものではない。
【００２０】
（第１実施形態）
図１〜図３を参照する。図１〜図３に示すように、本考案の第１実施形態によるＬＥＤランプは、少なくとも電源ランプ体１０及び発光ランプセット２０から構成される。
【００２１】
電源ランプ体１０は、ランププレート１１、ランプホルダ１２及び複数の磁気ユニット１３を有する。
【００２２】
ランププレート１１は、鉄金属により一体成形されたプレート体で、底部を有する。底部には、ランププレート１１を天井板又は頂壁上に螺設するために用いる複数の貫通孔１１１が設けられている。ランププレート１１は、ランプホルダ１２を収納する収納槽１１２を有する。
【００２３】
ランプホルダ１２は、放熱し易いアルミニウム金属材料からなり、円盤状をなし、底板１２１を有する。底板１２１の周縁には、上向きに周壁１２２が設けられている。周壁１２２の頂端には、外向きかつ水平にリング状凸縁１２３が延設されている。リング状凸縁１２３には、下向きに放熱部１２３１が延設されている。ランプホルダ１２は、リング状凸縁１２３上に、底板１２１に向かって環溝１２３２が凹設されている。ランプホルダ１２は、底板１２１の中心部に、同心円をなす接続部１２４が設けられている。接続部１２４は、金属のホルダであり、無極性の接続装置をなす接点が内部に設けられている。接続部１２４は、導線（図示せず）と商用電源とを電気的に接続させるために用いる。ランプホルダ１２は、底板１２１の周縁に、リング状凹縁１２５が設けられている。また、ランプホルダ１２上には、複数の第１の収納部１２６及び第２の収納部１２７が設けられている。第１実施形態の第１の収納部１２６及び第２の収納部１２７は、環溝１２３２及び底板１２１上にそれぞれ凹設されている。第１の収納部１２６及び第２の収納部１２７の底部には、第１のネジ孔１２８が設けられている。
【００２４】
磁気ユニット１３は、第１の収納部１２６及び第２の収納部１２７上に配置されている。第１実施形態の磁気ユニット１３は、強力磁石１３１、保護キャップ１３２及びボルト１３３を有する。保護キャップ１３２の第１のネジ孔１２８に対応する位置には、第２のネジ孔１３２１が設けられている。強力磁石１３１は、保護キャップ１３２内に固着されている。ボルト１３３は、ランプホルダ１２の第１の収納部１２６及び第２の収納部１２７に貫設されている。ランプホルダ１２の側部には、保護キャップ１３２が螺設されている。
【００２５】
発光ランプセット２０は、電源ランプ体１０上に装着され、ランプカバー２１、ＬＥＤ発光モジュール２２及びカバー２３を有する。
【００２６】
ランプカバー２１は、光透過可能なアクリル材料からなり、ランプホルダ１２の円形状の平面板に対応する。ランプカバー２１の表面には、投影機能を有するパターン層（図示せず）が設けられてもよい。ランプカバー２１上には、ランプホルダ１２の第１の収納部１２６に対応した第１の磁気部材２１１が配置されている。第１実施形態の第１の磁気部材２１１は、鉄金属からなるフープであり、ランプカバー２１の周縁を覆っている。
【００２７】
ＬＥＤ発光モジュール２２は、円盤状をなし、頂面及び底面を有する基板２２１を有する。基板２２１は、複数のＬＥＤ２２２が頂面上に配置され、底板１２１の接続部１２４に対応した結合部２２３が底面に設けられている。結合部２２３は、接続部１２４に接続されている。第１実施形態の結合部２２３は、同心円をなす金属端子であり、接続部１２４に電気的に接続されている。ＬＥＤ発光モジュール２２には、電源制御回路ユニット２２４が内蔵されている。基板２２１の底面には、ランプホルダ１２の第２の収納部１２７に対応した第２の磁気部材２２５が装着され、放熱シート２２６が貼設されている。第１実施形態の第２の磁気部材２２５は、ドーナツ形の鉄片である。
【００２８】
カバー２３は、透明材料からなるカバー体であり、ＬＥＤ発光モジュール２２の頂面に嵌設されている。カバー２３の周縁には、ユーザがＬＥＤ発光モジュール２２及びカバー２３を一緒に取り外す際に役立つように、複数の凹部２３１が設けられている。
【００２９】
図４を参照する。図４に示すように、本考案の第１実施形態によるＬＥＤランプは、シーリングライトであり、使用する際、一般の屋内の天井板上に固定し、部品を順次装着する。ＬＥＤランプの部品を装着するとき、まず、ランプホルダ１２の底板１２１及び環溝１２３２上に磁気ユニット１３を装着する。次に、磁気ユニット１３の磁気作用により、ランプホルダ１２をランププレート１１の収納槽１１２内に吸着させる。そして、基板２２１の底面の結合部２２３と、底板１２１の接続部１２４とを接続する。図５を参照する。図５に示すように、本考案の第１実施形態によるＬＥＤランプの結合部２２３及び接続部１２４の周側には、第１の位置決め片２２７及び第２の位置決め片１２９がそれぞれ周設されている。第１の位置決め片２２７及び第２の位置決め片１２９上には、位置決め部２２７１及び被位置決め部１２９１が互いに対応する位置に設けられている。結合部２２３と接続部１２４とが接続されるとき、位置決め部２２７１は、被位置決め部１２９１内に係止され、結合部２２３と接続部１２４とが互いに位置規制される。ＬＥＤ発光モジュール２２の基板２２１には、底板１２１の磁気ユニット１３に対応して第２の磁気部材２２５が装着されている。ＬＥＤ発光モジュール２２は、磁気ユニット１３の磁気作用により、ランプホルダ１２の底板１２１上に吸着されて位置決めされる。続いて、ランプホルダ１２の環溝１２３２上にランプカバー２１を装着する。ランプカバー２１は、環溝１２３２に対応するように装着された第１の磁気部材２１１により、ランプホルダ１２上に吸着され位置決めされ、装着が完了する。ＬＥＤランプの部品は、磁気ユニット１３の磁気作用により互いに吸着されるため、取り付けたり取り外したりするのに便利である。また、ＬＥＤ発光モジュール２２は、アルミニウム製のランプホルダ１２と放熱シート２２６とにより、放熱することができる。
【００３０】
故障などによりＬＥＤ発光モジュール２２を交換する必要があるとき、ランプカバー２１は、容易に取り外すことができる。ランプホルダ１２の底板１２１の周縁には、リング状凹縁１２５が配置されているため、作業空間ができ、ユーザが、ＬＥＤ発光モジュール２２をランプホルダ１２上から手で直接回転させ取り外すことができる。ＬＥＤ発光モジュール２２と商用電源との電気的接続を切ったあと、新しいＬＥＤ発光モジュール２２に交換することにより、交換作業を素早く完了させることができる。そのため、ＬＥＤランプを便利に着脱したり修理したりすることができる。
【００３１】
ＬＥＤ発光モジュール２２の基板２２１は、放熱シート２２６により、ランプホルダ１２の底板１２１にしっかりと貼り合わされるため、ＬＥＤ２２２から生じる熱は、放熱シート２２６により、アルミニウム材料からなる底板１２１上に伝達され、さらに、ランプホルダ１２の放熱部１２３１に伝達されて外部に放出され、放熱を行う。ランプホルダ１２の底板１２１の背面には、放熱効果を高めるために放熱フィン（図示せず）を配置してもよい。
【００３２】
本考案の第１実施形態によるＬＥＤランプのランプカバー２１上には、パターン層を配置することができ、発光源が発光すると、パターン又は文字が地面に投影され、ＬＥＤランプは、多様な視覚効果を生み出すことができる。例えば、階数や停電の際の非難方向などをユーザに知らせることができる。また、ランプカバー２１は、照明面積を増大させ、ＬＥＤランプの輝度を高めるアクリル材料からなる弧面状のカバー体でもよい。
【００３３】
本考案の第１実施形態によるＬＥＤランプは、ランプホルダ１２上に検知器１４が配置されてもよい。検知器１４は、人体検知器、火災検知器、地震検知器又はその他の検知器でもよい。
【００３４】
（第２実施形態）
図６を参照する。図６に示すように、本考案の第２実施形態によるＬＥＤランプは埋め込み式である。本考案の第２実施形態は、ＬＥＤランプを一般の屋内の天板上に固定する点が第１実施形態と異なる。まず、天板２００上の開孔２０１の周縁に、Ｕ字状鉄片２０２を装着する。次に、ランプホルダ１２上の磁気ユニット１３により、Ｕ字状鉄片２０２との間に発生させた磁気作用により、天板２００上にランプホルダ１２を直接吸着させる。さらに、磁気ユニット１３により、ランプホルダ１２上にＬＥＤ発光モジュール２２及びランプカバー２１を順次取り付けて装着を完了させる。
【００３５】
（第３実施形態）
図７を参照する。図７に示すように、本考案の第３実施形態によるＬＥＤランプは、上述の実施形態と異なり、ＬＥＤランプにＬＥＤ電球を用い、電源ランプ体３０及び発光ランプセット４０を有する。第３実施形態の電源ランプ体３０は、金属の口金であり、内部にＬＥＤ電球の基本回路及び電子部品を有する。電源ランプ体３０は、一方の端部に、ネジ部３１が配置され、他方の端部に、複数の磁気ユニット３２及び接続部３３が配置されている。発光ランプセット４０は、電源ランプ体３０上に装着され、ＬＥＤ発光モジュール４１及びランプカバー４２を有する。ＬＥＤ発光モジュール４１の底部には、磁気ユニット３２及び接続部３３に対応して第３の磁気部材４１１及び結合部４１２が配置され、電源ランプ体３０に吸着され、電気的に接続されている。ＬＥＤ発光モジュール４１の底部には、放熱シート４１３が貼設されている。本実施形態では、結合部４１２は金属端子である。接続部３３は、結合部４１２に対応する金属のホルダである。ランプカバー４２は、一体成形方式で、ＬＥＤ発光モジュール４１の周縁に設けられている。ＬＥＤ発光モジュール４１が損壊した場合、発光ランプセット４０だけを直接交換することができるため、電源ランプ体３０を使用し続けることができる。
【００３６】
（第４実施形態）
図８を参照する。図８に示すように、本考案の第４実施形態によるＬＥＤランプは、上述の実施形態と異なり、ＬＥＤランプがＬＥＤ蛍光灯であり、電源ランプ体５０及び発光ランプセット６０を有する。第４実施形態では、電源ランプ体５０の端面上には、複数の磁気ユニット５１及び接続部５２が配置されている。発光ランプセット６０は、電源ランプ体５０上に装着され、ＬＥＤ発光モジュール６１及びランプカバー６２を有する。ＬＥＤ発光モジュール６１の底部には、磁気ユニット５１及び接続部５２に対応して第４の磁気ユニット６１１及び結合部６１２が配置され、電源ランプ体５０に吸着され、電気的に接続されている。ＬＥＤ発光モジュール６１の底部には、放熱シート６１３が貼設されている。第４実施形態の結合部６１２は金属端子である。接続部５２は、結合部６１２に対応する金属のホルダである。ＬＥＤ発光モジュール６１が損壊した場合、損壊した発光ランプセット６０を交換することができる。
【００３７】
また、接続部１２４及び結合部２２３の他の実施形態についてさらに詳しく説明する。図９を参照する。図９に示すように、本実施形態のＬＥＤランプの接続部１２４は、底板１２１の受槽に凹設されている。受槽の底部には、孔部１２４１が設けられている。ベース７０は、孔部１２４１に貫設され、締結部材８０により、接続部１２４に接続されている。ベース７０は、基壁７１及び基壁７１の周縁に環設された環状壁７２を有する。基壁７１と環状壁７２との間には、収納空間７３が設けられている。ベース７０の基壁７１に対応する端部には、環状壁７２に連通する穿孔７４が設けられている。ベース７０の環状壁７２の両側部上には、第１の嵌合槽７５、第２の嵌合槽７６及び第３の嵌合槽７７がそれぞれ凹設されている。第１の嵌合槽７５内には、端部が基壁７１から突出された第１の弾性電極片７５１が嵌設されている。第２の嵌合槽７６内には、端部が環状壁７２から突出された第２の弾性電極片７６１が嵌設されている。第３の嵌合槽７７内には、端部が環状壁７２から突出された第３の弾性電極片７７１が嵌設されている。第１の弾性電極片７５１、第２の弾性電極片７６１及び第３の弾性電極片７７１は、ベース７０の端部から突出されて導線（図示せず）に接続され、商用電源に電気的に接続される。結合部２２３は、基板２２１に突設された隆起部である。結合部２２３の中央には、導電柱体９０が凸設され、穿孔７４から収納空間７３内に収納されている。導電柱体９０の前部には、直径が小さい首部が設けられている。導電柱体９０上には、第１の弾性電極片７５１、第２の弾性電極片７６１及び第３の弾性電極片７７１に対応し、互いに電気的に接続された第１の電極領域９１、第２の電極領域９２及び第３の電極領域９３が配置されている。第１の電極領域９１、第２の電極領域９２及び第３の電極領域９３上には、電源制御回路ユニット２２４と電気的に接続された第１の接続ピン９１１、第２の接続ピン９２１及び第３の接続ピン９３１が配置されている。これにより、接続部１２４と結合部２２３とを接続する際、ベース７０及び導電柱体９０は、方向に関係なく導電配置することができるため、接続が便利である。導電柱体９０の前部の首部と第１の弾性電極片７５１とは、互いに係合され、素早く位置決めしたり部材が外れるのを防止したりするために用いる。ベース７０の底縁及び結合部２２３の上縁から構成される波状は、結合部２２３を回転させてベース７０から取り外すのに役立つ。
【００３８】
上述したことから分かるように、本考案の交換が容易な磁気式ＬＥＤ多機能ランプは、以下（１）〜（４）の特徴を有する。
（１）電源部の部材と光源部の部材とが、磁気ユニットにより互いに接続されて位置決めされるため、容易に着脱させて交換することができる。そのため、光源部の部品が故障した場合、電源部を交換せずに当該光源部だけを交換することができる。つまり、ランプ全体を破棄したり交換したりしなくても、壊れた部分だけを交換したり修理したりすればよいため、ユーザに不必要な浪費を強いず、ゴミの量を大幅に減らし、環境保護及びエネルギ節減の効果を得ることができる。
（２）磁気吸引の技術を用い、ダウンライト、プレートランプ、階段灯などに応用可能であるだけでなく、従来のネジ部を有する電球にも応用することができ、蛍光灯のように、ランプのみを交換すればよいため、ユーザの習慣に適っている。
（３）ランプホルダ及びランプカバーが交換可能な構造であるため、ユーザの室内装飾の需要に合わせて、異なる色、形状及び材料のランプホルダ及びランプカバーを装着することができるため、単なる灯具として用いるだけでなく、装飾品としても用いることができる。
（４）ロック孔又は放熱孔を設ける必要がないため、光が漏れにくく、蚊などの虫の侵入を防ぐことができる。
【００３９】
以上の通り、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４０】
１０  電源ランプ体
１１  ランププレート
１２  ランプホルダ
１３  磁気ユニット
１４  検知器
２０  発光ランプセット
２１  ランプカバー
２２  ＬＥＤ発光モジュール
２３  カバー
３０  電源ランプ体
３１  ネジ部
３２  磁気ユニット
３３  接続部
４０  発光ランプセット
４１  ＬＥＤ発光モジュール
４２  ランプカバー
５０  電源ランプ体
５１  磁気ユニット
５２  接続部
６０  発光ランプセット
６１  ＬＥＤ発光モジュール
６２  ランプカバー
７０  ベース
７１  基壁
７２  環状壁
７３  収納空間
７４  穿孔
７５  第１の嵌合槽
７６  第２の嵌合槽
７７  第３の嵌合槽
８０  締結部材
９０  導電柱体
９１  第１の電極領域
９２  第２の電極領域
９３  第３の電極領域
１１１  貫通孔
１１２  収納槽
１２１  底板
１２２  周壁
１２３  リング状凸縁
１２４  接続部
１２５  リング状凹縁
１２６  第１の収納部
１２７  第２の収納部
１２８  第１のネジ孔
１２９  第２の位置決め片
１３１  強力磁石
１３２  保護キャップ
１３３  ボルト
２００  天板
２０１  開孔
２０２  Ｕ字状鉄片
２１１  第１の磁気部材
２２１  基板
２２２  ＬＥＤ
２２３  結合部
２２４  電源制御回路ユニット
２２５  第２の磁気部材
２２６  放熱シート
２２７  第１の位置決め片
２３１  凹部
４１１  第３の磁気部材
４１２  結合部
４１３  放熱シート
６１１  第４の磁気部材
６１２  結合部
６１３  放熱シート
７５１  第１の弾性電極片
７６１  第２の弾性電極片
７７１  第３の弾性電極片
９１１  第１の接続ピン
９２１  第２の接続ピン
９３１  第３の接続ピン
１２３１  放熱部
１２３２  環溝
１２４１  孔部
１２９１  被位置決め部
１３２１  第２のネジ孔
２２７１  位置決め部
【図１】
0003171432.tif 000003
【図２】
0003171432.tif 000004
【図３】
0003171432.tif 000005
【図４】
0003171432.tif 000006
【図５】
0003171432.tif 000007
【図６】
0003171432.tif 000008
【図７】
0003171432.tif 000009
【図８】
0003171432.tif 000010
【図９】
0003171432.tif 000011
【手続補正書】
【提出日】平成23年8月29日(2011.8.29)
【手続補正１】
【補正対象書類名】実用新案登録請求の範囲
【補正対象項目名】全文
【補正方法】変更
【補正の内容】
【実用新案登録請求の範囲】
【請求項１】
電源ランプ体及び発光ランプセットを備える交換が容易な磁気式ＬＥＤ多機能ランプであって、
前記電源ランプ体上には、複数の磁気ユニットが配置され、
前記発光ランプセット上には、前記電源ランプ体の前記磁気ユニットに対応する複数の磁気部材が配置され、前記発光ランプセットは、前記電源ランプ体に着脱自在に装着されることを特徴とする交換が容易な磁気式ＬＥＤ多機能ランプ。
【請求項２】
前記電源ランプ体は、ランププレート、ランプホルダ及び前記磁気ユニットを有し、
前記ランププレートは、鉄金属により一体成形されたプレート体であり、天井板又は頂壁上に装着され、前記ランプホルダを収納する収納槽を有し、
前記ランプホルダは、放熱し易いアルミニウム金属材料からなり、底板を有し、前記底板の周縁には、周壁が上向きに延設され、前記周壁の頂端には、外向きかつ水平にリング状凸縁が延設され、前記リング状凸縁には、下向きに放熱部が延設され、前記ランプホルダの前記底板の中央部には、接続部が設けられ、前記底板の周縁に、リング状凹縁が設けられ、前記ランプホルダには、前記磁気ユニットを配置する複数の収納部が設けられることを特徴とする請求項１に記載の交換が容易な磁気式ＬＥＤ多機能ランプ。
【請求項３】
前記ランプホルダの前記リング状凸縁と前記周壁との接続箇所には、前記底板に向かって環溝が凹設されていることを特徴とする請求項２に記載の交換が容易な磁気式ＬＥＤ多機能ランプ。
【請求項４】
前記収納部は、前記環溝及び前記底板上に凹設され、
前記収納部の底部には、第１のネジ孔が設けられることを特徴とする請求項３に記載の交換が容易な磁気式ＬＥＤ多機能ランプ。
【請求項５】
前記磁気ユニットは、強力磁石、保護キャップ及びボルトを有し、
前記保護キャップには、前記第１のネジ孔に対応した第２のネジ孔が設けられることを特徴とする請求項４に記載の交換が容易な磁気式ＬＥＤ多機能ランプ。
【請求項６】
前記発光ランプセットは、ランプカバー及びＬＥＤ発光モジュールを有し、
前記ランプカバー上には、前記リング状凸縁の前記磁気ユニットに対応した第１の磁気部材が配置され、
前記ＬＥＤ発光モジュールは、基板を有し、前記基板は、頂面及び底面を有し、前記基板の頂面上には、複数のＬＥＤが配置され、前記基板の底面には、前記底板の前記磁気ユニット及び前記接続部に対応して第２の磁気部材及び結合部が配置されることを特徴とする請求項２に記載の交換が容易な磁気式ＬＥＤ多機能ランプ。
【請求項７】
前記ＬＥＤ発光モジュールには、電源制御回路ユニットが内蔵されることを特徴とする請求項６に記載の交換が容易な磁気式ＬＥＤ多機能ランプ。
【請求項８】
前記第１の磁気部材は、鉄金属のフープであり、前記ランプカバーの周縁を覆うことを特徴とする請求項６に記載の交換が容易な磁気式ＬＥＤ多機能ランプ。
【請求項９】
前記第２の磁気部材は鉄片であり、前記基板上に貼設することを特徴とする請求項６に記載の交換が容易な磁気式ＬＥＤ多機能ランプ。
【請求項１０】
前記発光ランプセットは、前記ＬＥＤ発光モジュール上に装着されるカバーを有することを特徴とする請求項６に記載の交換が容易な磁気式ＬＥＤ多機能ランプ。